(57)【特許請求の範囲】
【請求項１】
レールと、前記レールに嵌りスライドするスライド部とを備えた第１の筐体と、
フックを備えた第２の筐体と、
を有し、
前記第１の筐体を前記第２の筐体に接して、前記第１の筐体の前記第２の筐体に対する一方向へのスライドを含む操作が行われることで、前記フックが前記スライド部に嵌って、前記第１の筐体と前記第２の筐体とが結合し、
前記第１の筐体の前記第２の筐体に対する他方向へのスライドを含む操作が行われることで、前記フックが前記スライド部から外れて、前記第１の筐体と前記第２の筐体とが分離する、
ことを特徴とする通信装置。
【請求項２】
前記第２の筐体は、筐体内部に前記フックを収納するフック収納部と、筐体分離時に、前記フックを磁力により前記フック収納部内に保持しておくフック収納用マグネットと、を備えることを特徴とする請求項１記載の通信装置。
【請求項３】
前記第１の筐体は、前記フック収納用マグネットよりも強い磁力により、筐体結合時に前記フックを前記フック収納部から引き上げるフック吸着用マグネットを備えることを特徴とする請求項２記載の通信装置。
【請求項４】
前記フックにはロックバネが設けられ、前記スライド部にはロック溝が設けられ、前記第１の筐体が前記第２の筐体に対して一方向へスライドして、前記ロックバネが前記ロック溝に嵌ることで、前記フックと前記スライド部とがロックすることを特徴とする請求項１記載の通信装置。
【請求項５】
前記第１の筐体は、第１の突起部と第２の突起部とを備えた分離ボタンを有し、前記分離ボタンが押されると、前記第１の突起部は、前記スライド部に嵌ることで、前記スライド部と前記第１の筐体とが固定し、前記第２の突起部は、前記ロックバネを押し下げることで、前記ロックバネによる前記フックと前記スライド部とのロック状態が解除することを特徴とする請求項４記載の通信装置。
【請求項６】
前記第２の筐体は、筐体内部に前記フックを収納するフック収納部と、前記フックを前記フック収納部から押し出すガイド溝が設けられたガイド部と、一端が前記ガイド溝に嵌り他端が前記フックに固定するガイドピンと、前記ガイド部と接続するフック押し上げボタンとを備え、
前記フック押し上げボタンが押されることで、前記ガイド部がボタン押圧方向へスライドし、前記ガイド溝に沿って前記ガイドピンが上昇して、前記フックが前記フック収納部から押し出されることを特徴とする請求項１記載の通信装置。
【請求項７】
二重重ね構造の筐体の結合、分離を行う筐体結合分離方法において、
第１の筐体に、レールと、前記レールに嵌りスライドするスライド部とを備え、
第２の筐体にフックを備え、
前記第１の筐体を前記第２の筐体に接して、前記第１の筐体の前記第２の筐体に対する一方向へのスライドを含む操作が行われることで、前記フックを前記スライド部に嵌めて、前記第１の筐体と前記第２の筐体とを結合し、
前記第１の筐体の前記第２の筐体に対する他方向へのスライドを含む操作が行われることで、前記フックを前記スライド部から外して、前記第１の筐体と前記第２の筐体とを分離する、
ことを特徴とする筐体結合分離方法。
【請求項８】
前記第２の筐体は、フック収納部とフック収納用マグネットを備え、前記フック収納部は筐体内部に前記フックを収納し、前記フック収納用マグネットは、筐体分離時に、前記フックを磁力により前記フック収納部内に保持しておくことを特徴とする請求項７記載の筐体結合分離方法。
【請求項９】
前記第１の筐体は、フック吸着用マグネットを備え、前記フック吸着用マグネットは、前記フック収納用マグネットよりも強い磁力により、筐体結合時に前記フックを前記フック収納部から引き上げることを特徴とする請求項８記載の筐体結合分離方法。
【請求項１０】
前記フックにはロックバネが設けられ、前記スライド部にはロック溝が設けられ、前記第１の筐体が前記第２の筐体に対して一方向へスライドして、前記ロックバネが前記ロック溝に嵌ることで、前記フックと前記スライド部とがロックすることを特徴とする請求項７記載の筐体結合分離方法。
【請求項１１】
前記第１の筐体は、第１の突起部と第２の突起部とを備えた分離ボタンを有し、前記分離ボタンが押されると、前記第１の突起部は、前記スライド部に嵌ることで、前記スライド部と前記第１の筐体とが固定し、前記第２の突起部は、前記ロックバネを押し下げることで、前記ロックバネによる前記フックと前記スライド部とのロック状態が解除することを特徴とする請求項１０記載の筐体結合分離方法。
【請求項１２】
前記第２の筐体は、筐体内部に前記フックを収納するフック収納部と、前記フックを前記フック収納部から押し出すガイド溝が設けられたガイド部と、一端が前記ガイド溝に嵌り他端が前記フックに固定するガイドピンと、前記ガイド部と接続するフック押し上げボタンとを備え、
前記フック押し上げボタンが押されることで、前記ガイド部がボタン押圧方向へスライドし、前記ガイド溝に沿って前記ガイドピンが上昇して、前記フックが前記フック収納部から押し出されることを特徴とする請求項７記載の筐体結合分離方法。
【発明の詳細な説明】
【技術分野】
【０００１】
本発明は、情報通信を行う通信装置および二重重ね構造の筐体の結合、分離を行う筐体結合分離方法に関する。
【背景技術】
【０００２】
近年、ディスプレイ部とキーパッド部の２つの筐体が結合・分離するセパレートタイプの携帯電話機が開発されている。主なセパレートタイプの携帯電話機では、ディスプレイ部とキーパッド部が、Bluetooth（登録商標）のような近距離無線規格で通信が接続し、筐体の結合時にはスライド式の携帯電話機となる。
【０００３】
また、ディスプレイ部とキーパッド部を切り離して自由な配置で使えるので、例えば、キーパッド部で電話をしながら、ディスプレイ部でWeb閲覧などをしたりすることができ、多様なサービスを提供できる新しい携帯電話機のモデルとして注目されている。
【０００４】
マグネット結合機能を備えたスライド式の携帯電話機として、例えば、特許文献１、２が提案されている。
【先行技術文献】
【特許文献】
【０００５】
【特許文献１】特開２００２−１７６４７８号公報
【特許文献２】特開２００３−３４８２０４号公報
【発明の概要】
【発明が解決しようとする課題】
【０００６】
しかし、上記のような従来のセパレートタイプの携帯電話機では、スライド操作を行う時などに、ディスプレイ部とキーパッド部との結合が外れやすく、良好な操作性を有していないといった問題があった。
【０００７】
本発明はこのような点に鑑みてなされたものであり、筐体の結合・分離の操作性の向上を図る機構を備えた通信装置を提供することを目的とする。
また、本発明の他の目的は、筐体の結合・分離の操作性の向上を図った筐体結合分離方法を提供することである。
【課題を解決するための手段】
【０００８】
上記課題を解決するために、通信装置が提供される。通信装置は、レールと、前記レールに嵌りスライドするスライド部とを備えた第１の筐体と、フックを備えた第２の筐体と、を有し、前記第１の筐体を前記第２の筐体に接して、前記第１の筐体の前記第２の筐体に対する一方向へのスライドを含む操作が行われることで、前記フックが前記スライド部に嵌って、前記第１の筐体と前記第２の筐体とが結合し、前記第１の筐体の前記第２の筐体に対する他方向へのスライドを含む操作が行われることで、前記フックが前記スライド部から外れて、前記第１の筐体と前記第２の筐体とが分離する。
【発明の効果】
【０００９】
操作性の向上を図ることが可能になる。
【図面の簡単な説明】
【００１０】
【図１】通信装置の構成例を示す図である。
【図２】通信装置のスライド閉じ状態を示す図である。
【図３】通信装置のスライド開状態を示す図である。
【図４】通信装置の分離状態を示す図である。
【図５】上側筐体の裏面の内部構造を示す図である。
【図６】上側筐体と下側筐体の結合時のスライド操作を示す図である。
【図７】上側筐体と下側筐体の結合時のスライド操作を示す図である。
【図８】上側筐体と下側筐体の結合時のスライド操作を示す図である。
【図９】上側筐体と下側筐体の結合時の内部構造を示す図である。
【図１０】ロック機構を示す図である。
【図１１】フックとスライド部とがロックされるまでの状態経緯を示す図である。
【図１２】フックとスライド部とがロックされるまでの状態経緯を示す図である。
【図１３】フックとスライド部とがロックされるまでの状態経緯を示す図である。
【図１４】分離ボタンを説明するための図である。
【図１５】分離ボタンを説明するための図である。
【図１６】ボタンによるフック押し上げ機構を示す図である。
【図１７】ボタンによるフック押し上げ機構を示す図である。
【図１８】フック押し上げガイド部の形状の一例を示す図である。
【図１９】フック押し上げピンの動作を示す図である。
【図２０】フック押し上げピンの動作を示す図である。
【図２１】通信装置の長手方向の断面図である。
【発明を実施するための形態】
【００１１】
以下、本発明の実施の形態を図面を参照して説明する。図１は通信装置の構成例を示す図である。通信装置１は、例えば、第１の筐体に該当する上側筐体１０と、第２の筐体に該当する下側筐体２０とを備え、上側筐体１０と下側筐体２０との筐体間での結合・分離が可能な装置である。
【００１２】
上側筐体１０と下側筐体２０とはそれぞれ、独立した通信機能を有している。このため例えば、筐体結合時には、通常の携帯電話機となったり、筐体分離時には、上側筐体１０でインターネットを行い、下側筐体２０で電話をかけたりするなどの動作が可能である。上側筐体１０と下側筐体２０は、別々に他端末等と通信を行うこと、または互いに通信を行うことが可能である。
【００１３】
上側筐体１０の表面には、例えば、ディスプレイ部１０ａが設けられ、また、上側筐体１０の裏面側には、レール１１と、スライド部１２が設けられる。スライド部１２は、レール１１に嵌って、スライド動作を行う。
【００１４】
下側筐体２０の表面には、例えば、キーパッド部２０ａが設けられる。さらに、下側筐体２０の表面の上部には、スライド部１２に嵌り、上側筐体１０と結合するためのフック２１−１、２１−２が設けられる。
【００１５】
ここで、上側筐体１０を下側筐体２０に接して、上側筐体１０の下側筐体２０に対する一方向へのスライドを含む操作が行われることで、フック２１−１、２１−２がスライド部１２に嵌って、上側筐体１０と下側筐体２０とが結合する。
【００１６】
また、上側筐体１０の下側筐体２０に対する他方向へのスライドを含む操作が行われることで、フック２１−１、２１−２がスライド部１２から外れて、上側筐体１０と下側筐体２０とが分離する。
【００１７】
次に通信装置１の外観の一例について説明する。図２は通信装置１のスライド閉じ状態を示す図である。固定側の筐体である下側筐体２０と、下側筐体２０に対して可動する筐体である上側筐体１０とが結合し、スライドが閉じた状態を示している。
【００１８】
上側筐体１０の表面には、ＬＣＤ（Liquid Crystal Display）等のディスプレイ部１０ａが設けられている。また、上側筐体１０の側面には、上側筐体１０と下側筐体２０とを分離する際に押される分離ボタン３０が設けられている（分離ボタン３０の詳細機能については後述する）。
【００１９】
図３は通信装置１のスライド開状態を示す図である。上側筐体１０を下側筐体２０に対してスライドさせた状態を示している。上側筐体１０を下側筐体２０に対して、上方へスライドさせることで、下側筐体２０に設けられているキーパッド部２０ａが現れる。
【００２０】
図４は通信装置１の分離状態を示す図である。上側筐体１０と下側筐体２０とが分離している状態を示している。下側筐体２０の表面上部には、２つのフック収納部２−１、２−２が設けられている。フック収納部２−１、２−２の中には、フック２１−１、２１−２が収められており、上側筐体１０との結合時には、フック収納部２−１、２−２からフック２１−１、２１−２がそれぞれ突起して上側筐体１０と結合する。
【００２１】
また、上側筐体１０と下側筐体２０とが分離しているときは、フック収納部２−１、２−２内にフック２１−１、２１−２は常に収まっている。例えば、下側筐体２０のキーパッド面を下方に向けても、フック収納部２−１、２−２からフック２１−１、２１−２が飛び出るようなことはない（フック収納については後述する）。
【００２２】
次に上側筐体１０に設けられているスライド機構について説明する。図５は上側筐体１０の裏面の内部構造を示す図である。上側筐体１０のディスプレイ部１０ａが設けられていない裏面側の内部構造を示している。
【００２３】
上側筐体１０には、レール１１、スライド部１２、スライド潤滑部材１２ａ−１、１２ａ−２、フック吸着用マグネット１３−１、１３−２、スライドアシストバネ（ギターバネ）１４が設けられる。
【００２４】
スライド部１２の両端には、スライド潤滑部材１２ａ−１、１２ａ−２が取り付けられ、スライド潤滑部材１２ａ−１、１２ａ−２を介して、スライド部１２はレール１１に嵌合する。
【００２５】
また、スライドアシストバネ１４の一端がスライド部１２と接続し、スライドアシストバネ１４の他端が上側筐体１０の裏面に接続して、スライド部１２は、スライドアシストバネ１４で保持される。さらに、下側筐体２０に設けられている上述のフック２１−１、２１−２を、筐体結合時に吸着するためのフック吸着用マグネット１３−１、１３−２が設けられる。
【００２６】
次に下側筐体２０に対して上側筐体１０を結合する際のスライド操作について説明する。図６〜図８は上側筐体１０と下側筐体２０の結合時のスライド操作を示す図である。図６では、上側筐体１０と下側筐体２０とが分離している状態を示している。このとき、下側筐体２０のフック収納部２内にフック２１が収納される。
【００２７】
図７では、上側筐体１０の裏面を下側筐体２０の表面に摺り合せて下方へスライドする様子を示している。上側筐体１０に取り付けられているフック吸着用マグネット１３の下方に、下側筐体２０のフック収納部２が位置し、フック２１が引き出されている。
【００２８】
下側筐体２０に上側筐体１０を結合する場合は、結合位置を合わせて、下側筐体２０の上方から下方へ上側筐体１０をスライドさせる。このとき、フック収納部２に収納されていたフック２１は、フック吸着用マグネット１３の磁力によって引き出される。
【００２９】
図８では、上側筐体１０と下側筐体２０とが結合している状態を示している。フック吸着用マグネット１３の磁力によって引き出されたフック２１は、上側筐体１０が下側筐体２０に対して矢印方向にスライドすることによって、上側筐体１０内のスライド部１２に嵌合し、上側筐体１０と下側筐体２０とが結合する（詳細な結合構造については後述する）。
【００３０】
なお、スライド部１２は、レール１１を上下にスライド可能である。したがって、上側筐体１０と下側筐体２０とが結合したままでのスライド操作（図３で上述したスライド操作）では、上側筐体１０と下側筐体２０とが結合した状態で、上側筐体１０は、スライドアシストバネ１４の可動範囲で保持されつつ、下側筐体２０に対してスライドできる。
【００３１】
次に上側筐体１０と下側筐体２０との結合構造について説明する。図９は上側筐体１０と下側筐体２０の結合時の内部構造を示す図である。図２のＡ１−Ａ２断面図であり、フック２１−１、２１−２が、上側筐体１０に取り付けられているマグネットに吸着している状態を示している。
【００３２】
下側筐体２０には、フック収納部２−１、２−２が設けられ、フック収納部２−１、２−２の中にフック２１−１、２１−２がそれぞれ収納される。フック収納部２−１、２−２は、筐体分離時にフック２１−１、２１−２を筐体内部に収納しておく場所である。また、フック収納部２−１、２−２の底面には、フック収納用マグネット２２−１、２２−２が設けられている。
【００３３】
フック収納用マグネット２２−１、２２−２は、フック２１−１、２１−２をフック収納部２−１、２−２に収納しておくための弱い磁力のマグネットである。フック収納用マグネット２２−１、２２−２を設けておくことで、筐体分離時に、フック２１−１、２１−２の自重によって簡単にフック収納部２−１、２−２からフック２１−１、２１−２が凸状に飛び出すことを防ぐことができる。さらに、筐体分離時に、下側筐体２０から筐体結合に用いるための突起物が現れないので、美観が損なわれることがない。
【００３４】
一方、上側筐体１０は、２層の構造を有している。１層目には、ディスプレイ部１０ａが収納される。２層目には、筐体結合・分離に関する機構部として、レール１１、スライド部１２、スライド潤滑部材１２ａ、フック吸着用マグネット１３−１、１３−２、スライドアシストバネ１４等の部品が収納される。
【００３５】
スライド部１２は、スライド潤滑部材１２ａを介して、レール１１に嵌合する。スライド潤滑部材１２ａを介して、スライド部１２がレール１１に嵌合することで、スライド部１２とレール１１との摩擦抵抗が低減し、スムーズなスライドが可能になる。
【００３６】
また、スライド潤滑部材１２ａは、化学樹脂等で生成されているため、任意の形状に加工できる。このため、スライド部１２とレール１１との隙間が小さくなるような形状に加工して、スライド潤滑部材１２ａを嵌めこむことで、スライド部１２とレール１１とのガタツキを低減することも可能になる。
【００３７】
フック吸着用マグネット１３−１、１３−２は、フック２１−１、２１−２を吸着するためのマグネットであり、フック収納用マグネット２２−１、２２−２の磁力よりも強い磁力を有している。
【００３８】
フック吸着用マグネット１３−１、１３−２がフック２１−１、２１−２に近づくと、フック収納部２−１、２−２に収納されていたフック２１−１、２１−２が引き出される。
【００３９】
また、スライド部１２には、フック２１−１、２１−２を引掛けるフック引掛け凹部１２ｂ−１、１２ｂ−２が設けられており、フック吸着用マグネット１３−１、１３−２の磁力で引き上げられたフック２１−１、２１−２は、フック引掛け凹部１２ｂ−１、１２ｂ−２にそれぞれ引掛かる。
【００４０】
このように、フック収納用マグネット２２−１、２２−２の磁力よりも強い磁力を持つフック吸着用マグネット１３−１、１３−２を上側筐体１０に設けることで、筐体結合時には、簡易な操作でフック２１−１、２１−２を引き出すことができ、ユーザの操作性を高めることが可能になる。
【００４１】
次にフック２１−１、２１−２とスライド部１２とのロック機構について説明する。上側筐体１０と下側筐体２０との結合時、フック２１−１、２１−２が下側筐体２０から引き出されて、フック引掛け凹部１２ｂ−１、１２ｂ−２にフック２１−１、２１−２が嵌ってスライド部１２と接続する。しかし、この状態では、フック２１−１、２１−２を、スライド部１２に引掛けている状態なので、スライド部１２に完全には固定接続していない。
【００４２】
このため、フック引掛け凹部１２ｂ−１、１２ｂ−２にフック２１−１、２１−２が嵌って、スライド部１２へ引掛かった状態から、上側筐体１０を下側筐体２０に対してさらにスライドさせてロックする機構が設けられる。
【００４３】
例えば、上側筐体１０の先端部と、下側筐体２０の先端部とが一致して同一面となる位置までスライドさせることで、フック２１−１、２１−２とスライド部１２がロックするロック機構が設けられている。
【００４４】
図１０はロック機構を示す図である。図２をＢ方向から見たときの内部構造を示している（分離ボタン３０の図示は省略）。ロックバネ２３が、フック２１に取り付けられており、ロック溝１２ｃがスライド部１２に設けられている。
【００４５】
フック引掛け凹部にフック２１が嵌ってスライド部１２へ引掛かった状態から、上側筐体１０を下側筐体２０に対してさらにスライドさせる。すると、フック２１に取り付けられているロックバネ２３が、スライド部１２に設けられているロック溝１２ｃに嵌る。これにより、フック２１とスライド部１２が完全に固定する。
【００４６】
図１１〜図１３はフック２１とスライド部１２とがロックされるまでの状態経緯を示す図である。フック２１の上面にロックバネ２３が取り付けられており、スライド部１２には、ロック溝１２ｃの切り欠きが設けられている。また、ロックバネ２３には、突起部２３ａとアーム部２３ｂが形成されている（アーム部２３ｂの機能については後述）。
【００４７】
図１１はロック前の状態を示している。図１２はロックバネ２３が下がった状態を示している。スライド部１２を矢印方向にスライド移動させると、ロックバネ２３の傾斜面にスライド部１２が接触してロックバネ２３が押圧され、ロックバネ２３は下がる。
【００４８】
図１３はロックバネ２３とスライド部１２がロックした状態を示している。図１２の状態からさらにスライド部１２をスライド移動させると、ロック溝１２ｃにロックバネ２３の突起部２３ａが嵌り、ロックバネ２３は上方向に浮き上がって、スライド部１２がロックされる。
【００４９】
このように、フック２１にはロックバネ２３を設け、スライド部１２にはロック溝１２ｃを設ける。そして、筐体結合時のスライド操作において、上側筐体１０が下側筐体２０に対してスライドすることで、ロックバネ２３がロック溝１２ｃに嵌り、スライド部１２とフック２１が固定する構造とした。これにより、筐体結合時に、簡易な操作で上側筐体１０を下側筐体２０に対して完全に結合することができ、ユーザの操作性を高めることが可能になる。
【００５０】
次に分離ボタン３０について説明する。上側筐体１０と下側筐体２０との結合を分離する場合には、上側筐体１０の側面に設けられている分離ボタン３０を押して、結合を分離することができる。
【００５１】
図１４、図１５は分離ボタン３０を説明するための図である。図１４は図２のＣ１−Ｃ２の断面図であり、図１５は図２をＢ方向から見たときの内部構造を示している。なお、図９で上述済みの構成要素の説明については省略する。
【００５２】
上側筐体１０の側面には分離ボタン３０が設けられている。分離ボタン３０は、２つの突起部として、スライド固定用突起部３１（第１の突起部）とロック解除用突起部３２（第２の突起部）が形成されている。
【００５３】
スライド固定用突起部３１について説明する。上側筐体１０を下側筐体２０に対して、スライドしてフック２１−１、２１−２から抜ける方向に動かしても、スライド部１２がフック２１−１、２１−２に結合した状態で移動するため、このままの状態ではフック２１−１、２１−２がスライド部１２から抜けることはない。したがって、スライド部１２からフック２１−１、２１−２を抜去するためには、まず、スライド部１２を上側筐体１０に固定しておく必要がある。
【００５４】
レール１１には、貫通穴１１ａが設けられ、スライド潤滑部材１２ａには、突起嵌合凹部１２ｄが設けられている。分離ボタン３０を押すと、スライド固定用突起部３１がレール１１の貫通穴１１ａを貫通して、突起嵌合凹部１２ｄに嵌り込む。
【００５５】
このように、スライド固定用突起部３１が、突起嵌合凹部１２ｄに嵌り込むことで、スライド潤滑部材１２ａに固着しているスライド部１２が、上側筐体１０に対して固定することになる。
【００５６】
ロック解除用突起部３２について説明する。ロックバネ２３は、スライド部１２に引掛かった後、スライド動作でフック２１が外れないためにロックするものである。したがって、上側筐体１０と下側筐体２０を分離させるためには、スライド部１２が上側筐体１０に固定した後に、このロックを解除しなければならない。
【００５７】
ロックバネ２３には、図１１に示したように、アーム部２３ｂが設けられている。分離ボタン３０を押すと、ロック解除用突起部３２の傾斜面がロックバネ２３のアーム部２３ｂに接触してロックバネ２３を押し下げる。
【００５８】
すると、スライド部１２のロック溝１２ｃに嵌っていたロックバネ２３の突起部２３ａが外され、スライド部１２からロックバネ２３のロックが解除する。なお、分離ボタン３０には、コイルバネ３３が取り付けられており、分離ボタン３０を押して離すと、コイルバネ３３の復元力によって、分離ボタン３０は元の位置に戻る。
【００５９】
上記のように、スライド固定用突起部３１により、スライド部１２を上側筐体１０に固定させ、ロック解除用突起部３２により、スライド部１２とフック２１とのロックを解除する。これにより、フック２１から抜ける方向に上側筐体１０をスライドした際に、フック２１がスライド部１２から抜去することができる。
【００６０】
このように、分離ボタン３０は、スライド固定用突起部３１とロック解除用突起部３２を備えて、上側筐体１０と下側筐体２０とを分離するための上記２つの動作を実現する構成とした。これにより、１つの分離ボタン３０を押すことで、容易に上側筐体１０と下側筐体２０とを分離することができるので、筐体分離時におけるユーザの操作性の向上を図ることが可能になる。
【００６１】
次に変形例として、ボタン操作による上側筐体１０と下側筐体２０との結合構造について説明する。上記では、マグネットの磁力によりフック２１を下側筐体２０から引き出して、上側筐体１０と結合する構成とした。変形例の場合は、ボタンを押すことでフック２１を下側筐体２０から押し上げて、上側筐体１０と結合させるものである。
【００６２】
図１６、図１７はボタンによるフック押し上げ機構を示す図である。図１６はフック２１が収納されている状態を示し、図１７はフック２１をボタン操作により押し出している状態を示す。
【００６３】
下側筐体２０の側面には、１つのフック押し上げボタン２５が設けられる。また、フック押し上げボタン２５には、フック押し上げガイド部４０が取り付けられている。図１８にフック押し上げガイド部４０の形状の一例を示す。
【００６４】
フック押し上げガイド部４０は、フックガイド溝４２−１、４２−２がそれぞれ設けられた２枚のフック押し上げガイド板４１−１、４１−２が連結する形状を有している。フックガイド溝４２−１、４２−２は、垂直線に対して傾斜角度を持たせて溝が形成されている。
【００６５】
図１６、図１７に戻り、フックガイド溝４２−１には、フック押し上げピン４３−１の一端が嵌合し、フック押し上げピン４３−１の他端がフック２１−１に固定接続する。また、フック２１−１を上下方向にガイドするフックガイドリブ４４−１が設けられる。
【００６６】
同様に、フックガイド溝４２−２には、フック押し上げピン４３−２の一端が嵌合し、フック押し上げピン４３−２の他端がフック２１−２に固定接続する。また、フック２１−２を上下方向にガイドするフックガイドリブ４４−２が設けられる。
【００６７】
図１６のように、フック押し上げボタン２５が押されていないときは、フック２１−１、２１−２はフック収納部２−１、２−２に収納された状態である。一方、図１７のように、フック押し上げボタン２５が矢印方向に押されると、フック押し上げガイド部４０が左から右方向へ移動して、フックガイド溝４２−１、４２−２も同方向に移動する。
【００６８】
すると、フック押し上げピン４３−１、４３−２は、フックガイド溝４２−１、４２−２の傾斜溝によりガイドされて上方へ移動する。
これにより、フック押し上げピン４３−１、４３−２と接続するフック２１−１、２１−２も、フックガイドリブ４４−１、４４−２に沿って上方に押し出され、フック収納部２−１、２−２から突起することになる。
【００６９】
なお、フック押し上げボタン２５を離すと、コイルバネ４５の復元力でフック押し上げガイド部４０は元の位置に戻る。このため、フック２１−１、２１−２がスライド部１２に嵌合していなければ、フック２１−１、２１−２は、フック収納部２−１、２−２にそれぞれ収まる。
【００７０】
図１９、図２０はフック押し上げピン４３の動作を示す図である。スライド面をフック押し上げガイド板４１がスライド移動すると、フック押し上げピン４３は、上下方向の移動をガイドするフックガイド溝４２に沿って、位置Ｐ１から位置Ｐ２へ移動する。
【００７１】
このように、下側筐体２０に対して、フックをフック収納部から押し出すガイド溝が設けられたフック押し上げガイド部４０と、一端がガイド溝に嵌り他端がフックに固定するフック押し上げ上げピン４３と、フック押し上げガイド部４０と接続するフック押し上げボタン２５とを備える。
【００７２】
そして、フック押し上げボタン２５が押されることで、フック押し上げガイド部４０がボタンの押圧方向へスライドし、ガイド溝に沿ってフック押し上げピン４３が上昇して、フックがフック収納部から押し出される。また、フック押し上げボタン２５を離せば、フックが下側筐体２０内に収納される。
【００７３】
これにより、フック押し上げボタン２５を１度押すことで、筐体結合時に、簡易な操作でフック２１−１、２１−２を引き出すことができ、ユーザの操作性を高めることが可能になる。
【００７４】
次に上側筐体１０と下側筐体２０の結合時のスライド操作の変形例について説明する。上記では、筐体同士を結合する場合は、図６〜図８で示したように、下側筐体２０の上から下方向へ上側筐体１０をスライドして結合した。変形例の場合では、逆のスライド操作を行うものであって、下側筐体２０の下から上方向へ上側筐体１０をスライドさせて結合するものである。
【００７５】
図２１は通信装置の長手方向の断面図である。下側筐体２０には、フック収納部２が設けられ、フック収納部２の中にフック２１が収納される。また、フック収納部２の底面には、フック収納用マグネット２２が設けられている。フック２１には、ロックバネ２３が設けられる。ロックバネ２３は、図１０とは逆方向の向きに設けられる。
【００７６】
上側筐体１０は、２層の構造を有し、１層目には、ディスプレイ部１０ａが収納される。２層目には、筐体結合・分離に関する機構部として、レール１１、スライド部１２、スライド潤滑部材１２ａ、フック吸着用マグネット１３等の部品が収納される。
【００７７】
図２１のような構成で、筐体結合時には、上側筐体１０を下側筐体２０に対して矢印方向へスライドして結合する。このようなスライド結合を行うことにより、フック２１が下側筐体２０から引き出される様子が、ユーザにとって目視しやすくなるので、筐体装着の様子を確認しながら結合することができる。
【００７８】
以上説明したように、通信装置１において、分離された２つの筺体は、二重重ね構造であり、通常は、ディスプレイ部がスライド可能なスライド式装置である。また、上側筐体側に設けた分離ボタンの操作により、簡単にスライド部より分離できる構造を有し、分離状態では、突起物が無いため、装置外観がスマートである。
【００７９】
一方、上側筐体のディスプレイ面の逆面に、レールに嵌りスライドするスライド部を有するスライドレール機構を設け、また、フックを下側筐体に設けて、上側筐体に設けたマグネットにより、フックが引き出される。
【００８０】
そして、上側筐体のスライド部の凹部にフックが嵌り、さらに上側筐体を下側筐体に対して摺り合わせてスライド移動すると、フックとスライド部が完全に結合する。このような構成により、簡単なスライド操作で確実に筐体同士を結合することができ、操作性の向上を図ることが可能になる。
【００８１】
さらにまた、フックとスライド部のロックは、スライド部に設けたロックバネにより嵌め合いスライド動作がロックされる。この場合、ロック解除は、上側筐体の側面に設けた分離ボタンを押すことで、ロックが解除し、分離ボタンを押しながら上側筐体を下側筐体にスライド（結合とは逆方向にスライド）することで分離できる。このような構成により、簡単なスライド操作で確実に筐体同士を分離することができ、操作性の向上を図ることが可能になる。
【００８２】
以上、実施の形態を例示したが、実施の形態で示した各部の構成は同様の機能を有する他のものに置換することができる。また、他の任意の構成物や工程が付加されてもよい。さらに、上記では装置長手方向のスライド操作の結合・分離構造を示したが、装置横方向のスライド操作の結合・分離に対しても同様な機構を適用することが可能である。
【符号の説明】
【００８３】
１  通信装置
１０  上側筐体
１０ａ  ディスプレイ部
１１  レール
１２  スライド部
２０  下側筐体
２０ａ  キーパッド部
２１−１、２１−２  フック
【図１】
0005482610.tif 000002
【図２】
0005482610.tif 000003
【図３】
0005482610.tif 000004
【図４】
0005482610.tif 000005
【図５】
0005482610.tif 000006
【図６】
0005482610.tif 000007
【図７】
0005482610.tif 000008
【図８】
0005482610.tif 000009
【図９】
0005482610.tif 000010
【図１０】
0005482610.tif 000011
【図１１】
0005482610.tif 000012
【図１２】
0005482610.tif 000013
【図１３】
0005482610.tif 000014
【図１４】
0005482610.tif 000015
【図１５】
0005482610.tif 000016
【図１６】
0005482610.tif 000017
【図１７】
0005482610.tif 000018
【図１８】
0005482610.tif 000019
【図１９】
0005482610.tif 000020
【図２０】
0005482610.tif 000021
【図２１】
0005482610.tif 000022